(57)【要約】【課題】足底疲労の予防や、疲労した足底が悪化することを防止することができ、自分自身で確実にしかも簡単にテーピングをすることができる足底用テーピングテープを提供する。【解決手段】テープ基材と、テープ基材の一方側面の全面に亘って設けられた粘着材層とを有する足底用テーピングテープであって、拇指から小指の付け根に貼着される指球貼着部と、指球から踵に向けて足底に沿って貼着される４本の延設部である第１延設部、第２延設部、第３延設部、第４延設部とを有する。【選択図】図１
2015150136.tif 000002
【特許請求の範囲】
【請求項１】
テープ基材と、前記テープ基材の一方側面の全面に亘って設けられた粘着材層と、を有する足底用テーピングテープであって、
拇指から小指の付け根に貼着される指球貼着部と、
指球から踵に向けて足底に沿って貼着される４本の延設部である第１延設部、第２延設部、第３延設部、第４延設部と、
を有し、
前記４本の延設部のうち、外側の２本がそれぞれ第１延設部、第４延設部であり、内側の２本がそれぞれ第２延設部、第３延設部であることを特徴とする足底用テーピングテープ。
【請求項２】
前記第１延設部及び第４延設部が、前記第２延設部及び第３延設部よりも長く形成されていることを特徴とする請求項１に記載の足底用テーピングテープ。
【請求項３】
前記指球貼着部は、拇指球に貼着される拇指球貼着部と、拇指球から小指球にかけて貼着される指間球貼着部とを有することを特徴とする請求項１または２に記載の足底用テーピングテープ。
【請求項４】
前記足底用テーピングテープは、指球から踵に向けて足底に沿って貼着される方向にだけ伸縮するように形成されていることを特徴とする請求項１から３のいずれかに記載の足底用テーピングテープ。
【請求項５】
前記テープ基材の粘着材層の上には剥離層が形成されていることを特徴とする請求項１から４のいずれかに記載の足底用テーピングテープ。
【請求項６】
前記剥離層には、
前記指球貼着部と前記第１延設部との境界部分、
前記指球貼着部と前記第２延設部及び第３延設部との境界部分、
前記指球貼着部と前記第４延設部との境界部分、
のそれぞれにミシン目が形成されていることを特徴とする請求項５に記載の足底用テーピングテープ。
【請求項７】
前記ミシン目によって区分される前記剥離層の各部には、使用時における貼着順序を示す順序指標が付されていることを特徴とする請求項６に記載の足底用テーピングテープ。
【請求項８】
前記粘着材層に、一定の間隔で溝が設けられていることを特徴とする請求項１から７のいずれかに記載の足底用テーピングテープ。
【発明の詳細な説明】
【技術分野】
【０００１】
本発明は、足底用テーピングテープに関し、より詳しくは、足底疲労の予防や、疲労した足底が悪化することを防止するために、足底およびその周囲へ貼着して使用される足底用テーピングテープに関する。
【背景技術】
【０００２】
従来、伸縮性を有する布製の基材と、この基材の片面に粘着材層を有する粘着テープを人体の所定部位に貼着、巻装して、人体の関節部や筋肉の動作範囲を所定の範囲に抑制することが、スポーツ、医療、介護などの現場で行われている。
【０００３】
これは、関節部や筋肉の怪我を未然に防止する目的や怪我の応急処置などを目的とする技法であり、一般に「テーピング」と呼ばれている。
テーピングに用いられる粘着テープはテーピングテープと呼ばれている。テーピングテープは、通常、１本もののテープがロール状に巻かれた状態で流通しており、使用時において適当な長さに切断、加工されて使用される。
【０００４】
ところで、このようなロール状のテーピングテープを用いて正しくテーピングを行うには、高度な技量と専門的な知識が必要であり、誰でも簡単に行えるというものではなく、正しく行うには専門知識を有する医療従事者やスポーツトレーナーなどにやってもらうのが一般的である。
【０００５】
しかしながら、テーピングが必要なその都度、医療従事者やスポーツトレーナーの元に出向くことはなかなか難しく、例えば足腰が弱くなった高齢者にとっては、テーピングのための通院自体が大変な労力となってしまう。
【０００６】
そこで、予め所定の形状にカットされた粘着テープを作成しておき、これを用いることで自分自身でも簡単にテーピングを行えるようにしたテーピングテープが開発されている（例えば、特許文献１）。
【０００７】
図６は、特許文献１で開示された従来のテーピングテープを示した図、図７は、特許文献１で開示されたテーピングテープを足に貼着した状態を示した図である。
このテーピングテープ１００は、長辺と短辺からなる長方形形状であり、テープ基材１０２の片面に粘着材層１０４を有し、この粘着材層１０４側の一部に非粘着部１０６が設けられ、短辺側から非粘着部１０６近辺に及ぶ切れ目１０８が施されて成るものである。
【０００８】
そして、例えば膝１５０にこのテーピングテープ１００を使用する場合には、図７に示すように、膝１５０の裏側にテーピングテープ１００の非粘着部１０６を当て、残りの４つの端部を膝の裏側から膝１５０の皿（膝蓋骨）１５２周囲の巻着することで、自分自身で確実に関節部の良好な固定が出来るようになっている。
【先行技術文献】
【特許文献】
【０００９】
【特許文献１】特許第４５７９４４７号公報
【非特許文献】
【００１０】
【非特許文献１】ニチバン株式会社、"部位別の巻き方：足の裏 | スポーツテーピング講座 | バトルウィンドットコム“、[online]、[平成２５年１２月１０日検索]、インターネット（ＵＲＬ：http://www.battlewin.com/cource/parts/footback.html）
【発明の概要】
【発明が解決しようとする課題】
【００１１】
ところで、ウォーキングやトレッキング、ジョギングなどの愛好者などは、足底疲労の予防や、疲労した足底が悪化することを防止するために、非特許文献１に開示されるようなテーピングを施す場合がある。
【００１２】
しかしながら、非特許文献１に開示されるように、ロール状に巻かれたテープを用いてテーピングを行うことは、上述するように、誰もが簡単に行えるというものではない。
また、特許文献１に開示されたテーピングテープ１００は、適用箇所を関節部としており、どこに用いるものかを限定したものではないが、関節部は、例えば、手首、足首、膝などいずれとして同じ動きをする箇所はないため、予めカットされたテーピングテープ１００は、どの部位に用いるかを考えた上で開発されたものでなければ、確実な効果を得ることはできない。
【００１３】
本発明では、このような現状に鑑み、例えば、足底疲労の予防や、疲労した足底が悪化することを防止することができ、自分自身で確実にしかも簡単にテーピングをすることができる足底用テーピングテープを提供することを目的とする。
【課題を解決するための手段】
【００１４】
本発明は、前述したような従来技術における課題を解決するために発明されたものであって、本発明の足底用テーピングテープは、テープ基材と、前記テープ基材の一方側面の全面に亘って設けられた粘着材層と、を有する足底用テーピングテープであって、
拇指から小指の付け根に貼着される指球貼着部と、
指球から踵に向けて足底に沿って貼着される４本の延設部である第１延設部、第２延設部、第３延設部、第４延設部と、
を有し、
前記４本の延設部のうち、外側の２本がそれぞれ第１延設部、第４延設部であり、内側の２本がそれぞれ第２延設部、第３延設部であることを特徴とする。
【００１５】
このように構成することによって、自分自身で４本の延設部を足底に沿って貼着するだけでよいため、確実にしかも簡単にテーピングをすることができ、足底疲労を予防したり、疲労した足底が悪化することを防止できる。
【００１６】
この場合、前記第１延設部及び第４延設部が、前記第２延設部及び第３延設部よりも長く形成されていることが好ましい。
このように構成することで、足底に対して無駄なくテーピングテープを貼着することができる。
【００１７】
また、上記発明では、前記指球貼着部は、拇指球に貼着される拇指球貼着部と、拇指球から小指球にかけて貼着される指間球貼着部とを有することができる。
また、前記足底用テーピングテープは、指球から踵に向けて足底に沿って貼着される方向にだけ伸縮するように形成されていることが好ましい。
【００１８】
また、前記テープ基材の粘着材層の上には剥離層が形成されていることが好ましい。
この場合、前記剥離層には、
前記指球貼着部と前記第１延設部との境界部分、
前記指球貼着部と前記第２延設部及び第３延設部との境界部分、
前記指球貼着部と前記第４延設部との境界部分、
のそれぞれにミシン目が形成することが好ましい。
【００１９】
また、前記ミシン目によって区分される前記剥離層の各部には、使用時における貼着順序を示す順序指標が付すことができる。
また、前記粘着材層に、一定の間隔で溝が設けられていることが好ましい。
【発明の効果】
【００２０】
本発明によれば、足底のテーピングに特化した最適形状に予めカットされており、指球から踵に向けて足底に沿って貼着すればよく、自分自身で確実にしかも簡単にテーピングをすることができる。
【図面の簡単な説明】
【００２１】
【図１】図１は、本実施例における足底用テーピングテープの平面図である。
【図２】図２は、図１の足底用テーピングテープの底面図である。
【図３】図３は、図１の足底用テーピングテープのＡ−Ａ線切断部端面図である。
【図４】図４は、足底用テーピングテープの別の実施例を説明するための平面図である。
【図５Ａ】図５Ａは、指球貼着部を足底に貼着した状態を説明する斜視図である。
【図５Ｂ】図５Ｂは、第２延設部を足底に貼着した状態を説明する斜視図である。
【図５Ｃ】図５Ｃは、第３延設部を足底に貼着した状態を説明する斜視図である。
【図５Ｄ】図５Ｄは、第１延設部を足底に貼着した状態を説明する斜視図である。
【図５Ｅ】図５Ｅは、第４延設部を足底に貼着した状態を説明する斜視図である。
【図６】図６は、特許文献１で開示された従来のテーピングテープを示した図である。
【図７】図７は、特許文献１で開示されたテーピングテープを足に貼着した状態を示した図である。
【発明を実施するための形態】
【００２２】
＜足底用テーピングテープ１０＞
以下、本発明の実施の形態（実施例）を図面に基づいてより詳細に説明する。
図１は、本実施例における足底用テーピングテープの平面図、図２は、図１の足底用テーピングテープの底面図、図３は、図１の足底用テーピングテープのＡ−Ａ線切断部端面図である。
【００２３】
図１から３に示すように、本実施例における足底用テーピングテープ１０は、テープ基材１２と、テープ基材１２の一方側面の全面に亘って設けられた粘着材層１４と、粘着材層１４の上に設けられた剥離層１６とを有する積層体からなり、使用の際には、剥離層１６を剥がして使用されるものである。
【００２４】
ここで、テープ基材１２の材質としては、一般的なテーピングテープに用いられているものを使用することができ、例えば、伸縮性を有する天然ゴム、合成ゴム、布などを用いることができる。
【００２５】
また、粘着材層１４の材質についても、一般的なテーピングテープに用いられているものを使用することができ、例えば、アクリル系、ゴム系、ビニルエーテル系、シリコーン系などの粘着材を用いることができる。中でも、アクリル系粘着材が、貼着された際に皮膚への刺激が少ないため好ましい。
【００２６】
なお、粘着材層１４には、一定の間隔で溝１５を設けることによって、テーピングテープの通気性や透湿性を確保することができる。
【００２７】
剥離層１６についても、一般的なテーピングテープに用いられているものを使用することができ、例えば、シリコーンモノマーで表面処理された紙などを用いることができる。
このような積層体からなる足底用テーピングテープ１０の具体的な形態は、図１に示すように、拇指から小指の付け根（本明細書においては「指球」と呼ぶ）に貼着される指球貼着部１８と、指球から踵に向けて足底に沿って貼着される４本の延設部（第１延設部２０、第２延設部２２、第３延設部２４、第４延設部２６）とを有している。
【００２８】
なお、本実施例においては、第１延設部２０及び第４延設部２６が、第２延設部２２及び第３延設部２４よりも長く設けられている。
また、指球貼着部１８は、拇指球に貼着される拇指球貼着部１８ａと、拇指球から小指球にかけて貼着される指間球貼着部１８ｂとを有する。本実施例において、拇指球貼着部１８ａ及び指間球貼着部１８ｂは、それぞれ足裏の形状に沿った形状となっている。
【００２９】
このような形状に形成された本実施例の足底用テーピングテープ１０は、指球から踵に向けて足底に沿って貼着される方向（図１において矢印Ｙ方向）にだけ、伸縮するように形成されている。
【００３０】
また、図１に示すように、足底用テーピングテープ１０の剥離層１６には、指球貼着部１８と第１延設部２０との境界部分、指球貼着部１８と第２延設部２２及び第３延設部２４との境界部分、指球貼着部１８と第４延設部２６との境界部分にそれぞれ、ミシン目２８が形成されていることが好ましい。なお、図１においては、説明のためミシン目２８を破線によって表している。
【００３１】
このようなミシン目２８が剥離層１６に予め形成されていれば、一度に全ての剥離層１６を剥がすのではなく、貼着する部分だけの剥離層１６を剥がしてから足底に貼着することができるため、使用時において、想定していない箇所が予期せぬ部位に張り付いてしまうことなどを防止できる。
【００３２】
また、図１に示すように、剥離層１６には、使用の際に貼着されるべき順序を示す順序指標Ｍが付されていることが好ましい。このような順序指標Ｍは、図１に示す数字のように、貼着順序が一目見て分かるような指標であれば如何なるものであってもよく、数字以外にも、アルファベット、ひらがな、カタカナ、絵など特に限定されるものではない。
【００３３】
なお、図１から３に示す足底用テーピングテープ１０は左足用となっている。右足用とするためには、図１，２とは鏡像となる形状とすればよい。
また、図４に示すように、左右対称となる形状とすることによって、専用の形状とするよりかは若干貼りづらくなるが、左右どちらの足底に貼ることも可能な汎用形状としてもよい。
【００３４】
また、本実施例では、足の形状を考慮して、第１・４延設部と、第２・３延設部の長さを変えているが、全て同じ長さとすることも可能であるし、例えば、年齢、性別、体格などを考慮して、指球貼着部及び第１〜第４延設部の形状や長さを適宜変更することもできる。
【００３５】
このようにして構成される本実施例の足底用テーピングテープ１０の製造方法は、特に限定されるものではないが、例えば、図３に示した積層体を大きなシート状にし、これを足底用テーピングテープ１０の形に合わせた抜き型で打ち抜き加工することで、簡単に製造することが可能である。
【００３６】
＜足底用テーピングテープ１０の使用手順＞
以下、上述した足底用テーピングテープ１０の使用手順について説明する。
図５Ａから図５Ｅは、本実施例の足底用テーピングテープ１０を左足底に貼着する際の使用手順を示したものである。
【００３７】
先ず、図５Ａに示すように、指球貼着部１８の剥離層１６（図１の順序指標Ｍにおいて「１」）を剥がす。そして、拇指球貼着部１８ａを拇指球に貼着するとともに、指間球貼着部１８ｂを食指の付け根から小指の付け根にかけて貼着する。
【００３８】
次に、図５Ｂに示すように、第２延設部２２の剥離層１６（図１の順序指標Ｍにおいて「２」）を剥がす。そして、足の指を反った状態で、第２延設部２２を拇指球から踵に向けて強めに引っ張りながら足底に沿って貼着する。
【００３９】
同じく、図５Ｃに示すように、第３延設部２４の剥離層１６（図１の順序指標Ｍにおいて「３」）を剥がす。そして、足の指を反った状態で、第３延設部２４を小指球から踵に向けて強めに引っ張りながら足底に沿って貼着する。
【００４０】
次いで、図５Ｄに示すように、第１延設部２０の剥離層１６（図１の順序指標Ｍにおいて「４」）を剥がす。そして、拇指球に第１延設部２０の基部を貼着した状態で、基部を押さえながら、踵に向けて第１延設部２０の端部を強めに引っ張り、踵の反対側へ向けて貼着する。
【００４１】
最後に、図５Ｅに示すように、第４延設部２６の剥離層１６（図１の順序指標において「５」）を剥がす。そして、小指球に第４延設部２６の基部を貼着した状態で、基部を押さえながら、踵に向けて第４延設部２６の端部を強めに引っ張り、踵の反対側へ向けて貼着する。
【００４２】
このような順序で本実施例の足底用テーピングテープ１０の左足底への貼着が完了する。なお、本実施例では左足用の足底用テーピングテープ１０を貼着する例を説明したが、右足用の足底用テーピングテープを右足底に貼着する場合であっても、同様に行うことができる。
【００４３】
以上、本発明の好ましい実施の形態について説明したが、本発明はこれに限定されるものではなく、上記実施例では、剥離層にミシン目を設け、貼着する順に剥離層を剥がしているが、例えば、剥離層にミシン目を設けずに剥離層全体を剥がして足に貼着するようにしてもよいなど、本発明の目的を逸脱しない範囲で種々の変更が可能である。
【符号の説明】
【００４４】
１０      足底用テーピングテープ
１２      テープ基材
１４      粘着材層
１５      溝
１６      剥離層
１８      指球貼着部
１８ａ    拇指球貼着部
１８ｂ    指間球貼着部
２０      第１延設部
２２      第２延設部
２４      第３延設部
２６      第４延設部
２８      ミシン目
１００    テーピングテープ
１０２    テープ基材
１０４    粘着材層
１０６    非粘着部
１０８    切れ目
１５０    膝
【図１】
2015150136.tif 000003
【図２】
2015150136.tif 000004
【図３】
2015150136.tif 000005
【図４】
2015150136.tif 000006
【図５Ａ】
2015150136.tif 000007
【図５Ｂ】
2015150136.tif 000008
【図５Ｃ】
2015150136.tif 000009
【図５Ｄ】
2015150136.tif 000010
【図５Ｅ】
2015150136.tif 000011
【図６】
2015150136.tif 000012
【図７】
2015150136.tif 000013